(57)【特許請求の範囲】
【請求項１】
液体を供給する供給管と、
前記液体の供給源であるタンクから前記供給管を介して供給された前記液体を吐出する液体吐出ヘッドと、
前記供給管内に存在する前記液体を前記タンクに回収するインク回収処理を実行可能なコントローラと、を備え、
前記コントローラは、電源ＯＦＦ指令を受信した場合に、前記液体吐出ヘッドが前記液体を吐出する印刷処理中か否かを判定し、前記印刷処理が終了したら前記インク回収処理を実行することを特徴とする液体吐出装置。
【請求項２】
請求項１に記載の液体吐出装置であって、
前記コントローラは、電源ＯＦＦ指令を受信した場合に、前記インク回収処理を実行した後に、電源を解除することを特徴とする液体吐出装置。
【請求項３】
請求項１又は２に記載の液体吐出装置であって、
前記インク回収処理は、前記液体吐出ヘッド内及び前記供給管内に存在する前記液体を前記タンクに回収する処理であることを特徴とする液体吐出装置。
【発明の詳細な説明】
【技術分野】
【０００１】
本発明は、液体吐出装置及び液体吐出方法に関する。
【背景技術】
【０００２】
液体吐出装置の一つとして、インクジェットプリンタが知られている。このインクジェットプリンタは、紙や布、フィルムなどの各種媒体に向けて、ヘッドの複数のノズルから液体としてのインクを吐出して印刷を行うものである。
【０００３】
ここで、これらノズルの開口が大気開放されている場合には、ノズルの先端部ではインク中の溶媒たる水分が蒸発し、その結果、時間と伴にインク中における染料等の溶質分比率や顔料等の固形分比率が相対的に高まって、前記先端部のインクが増粘（粘性が高くなること）する虞がある。そして、この増粘は、インク滴の吐出量や着弾位置に悪影響を及ぼすだけでなく、過度になるとノズル詰まりを引き起こしてしまう。
このため、一般に、プリンタの電源ＯＦＦ状態や印刷待機状態などの比較的長期に亘り印刷しない時には、ヘッドにおけるノズルの形成面を、キャップ部材で覆ってインク表面近傍の増粘を防いでいる。
【０００４】
このキャップ部材としては、例えば、略直方体状の箱体であって、その６面の壁部のうちの前記ヘッドに対向させる側の壁部が取り外された５面の壁部からなる有底箱体が使用される。そして、当該キャップ部材がヘッドに押しつけられた際には、キャップ部材の４面の壁部がノズルの形成面に当接されるとともに、ノズルの先端縁との間には隙間を介在された状態となり、これにより、ノズルを覆って周囲空間から遮蔽するようになっている（特許文献１を参照）。
【先行技術文献】
【特許文献】
【０００５】
【特許文献１】特開２００４−２３０８３２号公報
【発明の概要】
【発明が解決しようとする課題】
【０００６】
ところで、最近では、印刷時間の短縮を目的として、紙等の媒体の幅以上の長さのノズル列（ノズルが一方向に整列したもの）がヘッドに設けられたラインヘッドプリンタの開発が進められている。そして、このラインヘッドプリンタによれば、通常のシリアルプリンタでは必須であった印刷中のヘッドの往復移動動作を省略可能となり、つまり、ヘッドは所定位置に固定された状態で、当該ヘッドに対して搬送される媒体に向けてインクを吐出するだけで媒体への画像の印刷を可能とし、その結果として、印刷の高速化が図られている。
【０００７】
しかしながら、このラインヘッドプリンタの場合には、ヘッドのノズル列の全長が長くなることから、必然的に当該ノズル列を覆うキャップ部材の全長も長くする必要があるが、前述の有底箱体状のキャップ部材を長く成型するのは技術上の問題（ひしゃげる等）も多く、キャップ部材の省略が望まれていた。
【０００８】
本発明は、上記課題に鑑みてなされたものであり、その目的は、ノズルを覆うキャップ部材を用いずに、印刷待機状態におけるノズルの先端部の液体の増粘を抑制可能な液体吐出装置及び液体吐出方法を実現することにある。
【課題を解決するための手段】
【０００９】
前記目的を達成するための主たる発明は、
データに基づいてノズルから液体を吐出する液体吐出装置において、
前記データに基づく前記ノズルからの液体の吐出を実行していない待機状態の時に、前記ノズルの先端部にのみ空間が形成されるように前記液体を吐出方向と逆側に引き込む動作を行うコントローラと、を備え、
前記液体は、該液体を貯留するタンクから流路を通して前記ノズルへ供給されるとともに、前記流路にはポンプが設けられ、
前記コントローラはタイマーを有し、
前記引き込み動作の後であって、前記タイマーに基づきカウントされた所定時間であり前記待機状態が続いた所定時間の経過後に、前記ノズル及び前記流路に存在する全ての液体を前記ポンプによって前記タンク内に回収することを特徴とする液体吐出装置である。
また、本発明の液体吐出装置は、液体を供給する供給管と、前記液体の供給源であるタンクから前記供給管を介して供給された前記液体を吐出する液体吐出ヘッドと、前記供給管内に存在する前記液体を前記タンクに回収するインク回収処理を実行可能なコントローラと、を備え、前記コントローラは、電源ＯＦＦ指令を受信した場合に、前記液体吐出ヘッドが前記液体を吐出する印刷処理中か否かを判定し、前記印刷処理が終了したら前記インク回収処理を実行することを特徴とする液体吐出装置であってもよい。
【００１０】
本発明の他の特徴は、本明細書及び添付図面の記載により明らかにする。
【図面の簡単な説明】
【００１１】
【図１】印刷システム１００の外観構成の説明図である。
【図２】プリンタドライバが行う各種処理の説明図である。
【図３】プリンタ１の全体構成のブロック図である。
【図４】プリンタ１の縦断面図である。
【図５】印刷ヘッド４１の下面４１ａにおけるノズル配列の説明図である。
【図６】印刷ヘッド４１へインクを供給するインクタンク４３等の模式図である。
【図７】印刷処理のフロー図である。
【図８】図８Ａは、印刷ヘッド４１のノズルの先端部近傍で生じ得るインクの増粘の説明図であり、図８Ｂは、インク増粘防止処理の説明図であり、いずれの図もノズル近傍部分の拡大縦断面図である。
【図９】図９Ａはインク退避処理の説明図であり、図９Ｂはインク回収処理の説明図である。
【図１０】図１０Ａ及び図１０Ｂはチューブポンプ７２の説明図である。
【図１１】図１１Ａは、インクの凸形状のメニスカスＩｓの説明図であり、図１１Ｂは、同凹形状のメニスカスＩｓの説明図である。
【図１２】電源投入時及びそれ以降の処理のフロー図である。
【図１３】電源解除の際の処理のフロー図である。
【発明を実施するための形態】
【００１２】
本明細書及び添付図面の記載により、少なくとも以下の事項が明らかとなる。
【００１３】
データに基づいてノズルから液体を吐出する液体吐出装置において、
前記データに基づく前記ノズルからの液体の吐出を実行していない待機状態の時に、少なくとも前記ノズルの先端部に空間が形成されるように前記液体を吐出方向と逆側に引き込む動作を行うコントローラと、
を備えたことを特徴とする液体吐出装置。
このような液体吐出装置によれば、前記待機状態におけるノズルの先端部の液体の増粘を、キャップ部材を用いること無く抑制可能となる。この理由は、次のとおりである。
待機状態では、液体は吐出方向と逆側に引き込まれるので、これにより、ノズル内の液体の液面は、ノズルの外側の空間から遠く離されて、当該外側の空間で生じ得る風に当たり難くなる。その結果、液面からの水分の蒸発が抑えられ、液体の増粘が抑制される。また、上記の引き込む動作によりノズルの先端部には空間が形成されているが、当該空間は、ノズルの内周壁面に囲まれて空気の移動の少ない所謂よどみ点となっている。よって、このよどみ点の空気の滞留によって、当該よどみ点の空間も保湿され、その結果、ノズル内の液体の液面からの蒸発が抑えられ、液体の増粘が抑制される。
【００１４】
かかる液体吐出装置であって、
前記待機状態の時に、前記ノズルの先端部にのみ空間が形成されるように前記液体を吐出方向と逆側に引き込む動作を前記コントローラは行うのが望ましい。
このような液体吐出装置によれば、前記ノズルの先端部にのみ空間が形成されるように前記液体を引き込むので、液体を吐出可能な状態に復帰するための作業を、短時間で行えるようになる。
【００１５】
かかる液体吐出装置であって、
前記液体は、該液体を貯留するタンクから流路を通して前記ノズルへ供給されるとともに、前記流路にはポンプが設けられ、
前記コントローラはタイマーを有し、
前記引き込み動作の後であって、前記タイマーに基づきカウントされた所定時間の経過後に、前記ノズル及び前記流路に存在する全ての液体を前記ポンプによって前記タンク内に回収するのが望ましい。
このような液体吐出装置によれば、待機状態が長い場合に、前記ノズル及び前記流路に存在する全ての液体を、前記タンク内に回収する。よって、待機状態が長いほど起き易い液体の増粘を確実に抑制可能となる。
【００１６】
かかる液体吐出装置であって、
前記待機状態の時は、電源ＯＦＦ指令を受信した後であることが望ましい。
このような液体吐出装置によれば、電源ＯＦＦ状態におけるノズルの先端部の液体の増粘を、キャップ部材を用いること無く抑制可能となる。この理由は、次のとおりである。
電源ＯＦＦ状態では、液体は吐出方向と逆側に引き込まれるので、これにより、ノズル内の液体の液面は、ノズルの外側の空間から遠く離されて、当該外側の空間で生じ得る風などに当たり難くなる。その結果、液面からの水分の蒸発が抑えられ、液体の増粘が抑制される。また、上記の引き込む動作によりノズルの先端部には空間が形成されているが、当該空間は、ノズルの内周壁面に囲まれて空気の移動の少ないよどみ点となっている。よって、このよどみ点の空気の滞留により、当該よどみ点の空間も保湿され、その結果、ノズル内の液体の液面からの蒸発が抑えられ、液体の増粘が抑制される。
【００１７】
かかる液体吐出装置であって、
前記液体は、該液体を貯留するタンクから流路を通して前記ノズルへ供給されるとともに、前記流路にはポンプが設けられ、
前記電源ＯＦＦ指令を受信した後に、前記ノズル及び前記流路に存在する全ての液体を、前記ポンプによって前記タンク内に回収するのが望ましい。
このような液体吐出装置によれば、電源ＯＦＦ状態においては、前記ノズル及び前記流路に存在する全ての液体を、前記タンク内に回収する。よって、電源ＯＦＦ状態における液体の増粘を有効に抑制可能となる。
【００１８】
かかる液体吐出装置であって、
媒体を搬送方向に搬送する搬送機構と、前記搬送方向と交差する方向に沿って複数の前記ノズルが並んで設けられたヘッドと、を有し、
前記搬送機構によって前記媒体を搬送中に、移動停止状態の前記ヘッドの前記ノズルから、前記媒体へ向けて液体が吐出されるのが望ましい。
このような液体吐出装置によれば、キャップ部材を用いずに、待機状態におけるノズルの先端部の液体の増粘を抑制可能となるという作用効果を効果的に享受できる。すなわち、上記のヘッドは、所謂ラインヘッドプリンタに用いられるラインヘッドであるが、このラインヘッドの場合、キャップ部材でノズルを覆うためには長いキャップ部材が必要となって、その成型は製造技術上難しいが、ここで、このラインヘッドにあっても、キャップ部材を省略できるので、製造技術上の問題を回避できる。
【００１９】
かかる液体吐出装置であって、
前記液体はインクであっても良い。ここで、インクは水性インクも油性インクも含むものとする。
また、
データに基づいてノズルから液体を吐出するステップと、
前記データに基づく前記ノズルからの液体の吐出を実行していない待機状態の時に、少なくとも前記ノズルの先端部に空間が形成されるように前記液体を吐出方向と逆側に引き込むステップと、
を備えたことを特徴とする液体吐出方法。
このような液体吐出方法によれば、前記待機状態におけるノズルの先端部の液体の増粘を、キャップ部材を用いること無く抑制可能となる。
【００２０】
＝＝＝印刷システム１００の構成＝＝＝
本実施形態の液体吐出装置を用いた印刷システム１００の一実施形態について、図面を参照しながら説明する。
【００２１】
図１は、印刷システム１００の外観構成を示した説明図である。この印刷システム１００は、液体吐出装置としてのプリンタ１と、コンピュータ１１０と、表示装置１２０と、入力装置１３０と、記録再生装置１４０と、を備えている。プリンタ１は、紙や布等の媒体に向けてインク滴を吐出して画像を印刷するインクジェットプリンタである。コンピュータ１１０は、プリンタ１と通信可能に接続されており、プリンタ１に画像を印刷させるため、印刷させる画像に応じた印刷データをプリンタ１に出力する。
コンピュータ１１０にはプリンタドライバがインストールされている。プリンタドライバは、アプリケーションプログラムから出力された画像データを印刷データに変換させるためのプログラムである。
【００２２】
図２は、プリンタドライバが行う各種処理の説明図である。プリンタドライバは、アプリケーションプログラムから画像データを受け取り、プリンタ１が解釈できる形式の印刷データに変換し、印刷データをプリンタ１に出力する。アプリケーションプログラムからの画像データを印刷データに変換する際に、プリンタドライバは、図２に示す解像度変換処理・色変換処理・ハーフトーン処理を行う。
【００２３】
解像度変換処理（Ｓ１１０）では、アプリケーションプログラムから出力された画像データ（テキストデータやイメージデータなど）を、紙に印刷する際の印刷解像度（例えば１６００ｄｐｉ×１６００ｄｐｉ）に変換する。なお、解像度変換処理後の画像データの各画素データは、ＲＧＢ色空間により表される多階調（例えば２５６階調）のＲＧＢデータである。
【００２４】
色変換処理（Ｓ１２０）では、色変換ルックアップテーブルを参照して、前記ＲＧＢデータをＣＭＹＫ色空間により表されるＣＭＹＫデータに変換する。なお、色変換処理後の画素データは、ＣＭＹＫ色空間により表される２５６階調のＣＭＹＫデータである。
【００２５】
ハーフトーン処理（Ｓ１３０）では、高階調数のデータを、プリンタ１が形成可能な少階調数のデータに変換する。ハーフトーン処理された画像データたる印刷データは、上述の印刷解像度（例えば１６００ｄｐｉ×１６００ｄｐｉ）と同等の解像度を有する。ハーフトーン処理後の画像データ（印刷データ）では、例えば、印刷すべき画像の画素ごとに画素データが対応付けられており、画素データは各画素でのドットの形成状況（ドットの有無や大きさ等）を示すデータになる。
【００２６】
以上の解像度変換処理・色変換処理・ハーフトーン処理を経て生成された印刷データは、プリンタドライバによりプリンタ１に送信される。
【００２７】
＝＝＝プリンタ１の構成＝＝＝
＜＜＜インクジェットプリンタ１の構成＞＞＞
図３はプリンタ１の全体構成のブロック図である。図４はプリンタ１の縦断面図である。
図３に示すように、プリンタ１は、搬送ユニット２０、ヘッドユニット４０、インク増粘防止ユニット７０、検出器群５０、操作パネル６６、及び、コントローラ６０を有する。
外部装置であるコンピュータ１１０から印刷データを受信したプリンタ１は、コントローラ６０によって各ユニット（搬送ユニット２０、ヘッドユニット４０等）を制御する。すなわち、コントローラ６０は、コンピュータ１１０から受信した印刷データに基づいて各ユニットを制御し、紙に画像を印刷する。プリンタ１内の状況は検出器群５０によって監視されており、検出器群５０は、検出結果をコントローラ６０に出力する。コントローラ６０は、検出器群５０から出力された検出結果に基づいて、各ユニットを制御する。
【００２８】
＜搬送ユニット２０＞
搬送ユニット２０（搬送機構に相当）は、紙を搬送方向に搬送させるためのものであり、図４に示すように、搬送方向の上流から下流へかけて順に、給紙ローラ２１と、搬送ローラ２３Ａと、プラテン２５と、排紙ローラ２７Ａとを有している。
給紙ローラ２１は、給紙トレー２２の紙をプリンタ１内に給紙するためのローラであり、ＤＣモータからなる給紙モータ（不図示）により回転駆動される。
搬送ローラ２３Ａは、給紙ローラ２１から受け渡された紙を搬送方向の下流のプラテン２５へ搬送するものである。この搬送ローラ２３Ａは、ＤＣモータからなる搬送モータ（不図示）によって回転駆動される。
プラテン２５は、印刷中の紙を下方から支持すべく搬送ローラ２３Ａと排紙ローラ２７Ａとの間に配置された支持部材であり、印刷ヘッド４１の下面４１ａのノズルと対向して設けられている。
排紙ローラ２７Ａは、プラテン２５上にて印刷された紙を、更に搬送方向の下流側へと搬送して、プリンタ１の外側に排出するローラである。この排紙ローラ２７Ａも、適宜なギア列を介して前記搬送モータに連結され、同搬送モータによって回転駆動される。
【００２９】
＜ヘッドユニット４０＞
ヘッドユニット４０は、紙にインク滴を吐出するためのものである。ヘッドユニット４０は印刷ヘッド４１を有し、この印刷ヘッド４１の下面４１ａ（プラテン２５と対向する面）には、インク滴を吐出するための複数のノズルが設けられている。そして、搬送中の紙に対してノズルからインク滴を吐出することによって、紙にドットを形成し、これにより紙に画像が印刷される。印刷ヘッド４１の構成については後述する。
【００３０】
＜インク増粘防止ユニット７０＞
インク増粘防止ユニット７０は、印刷ヘッド４１のノズル内のインク表面近傍の増粘を抑制するためのものであり、ノズル内のインクを吐出方向と逆側に引き込むためのチューブポンプ７２等を有する。これについては後述する。
【００３１】
＜検出器群５０＞
検出器群５０には、ロータリー式エンコーダ（不図示）や、第１紙検出センサ５３ａ、第２紙検出センサ５３ｂなどが含まれる（図４を参照）。ロータリー式エンコーダは、搬送ローラ２３Ａや排紙ローラ２７Ａの回転量を検出する。ロータリー式エンコーダの検出結果に基づいて、紙の搬送量を検出することができる。第１紙検出センサ５３ａは、給紙中の紙の先端の位置を検出するものであり、図４に示すように、給紙ローラ２１と搬送ローラ２３Ａとの間に設けられている。第２紙検出センサ５３ｂは、搬送中の紙の尾端の位置を検出するものであり、印刷ヘッド４１と排紙ローラ２７Ａとの間に設けられている。
【００３２】
＜操作パネル６６＞
操作パネル６６には、電源ボタン等の各種操作ボタンが設けられている。電源ボタンは、プリンタ１の電源を投入／解除するためのＯＮ／ＯＦＦスイッチである。そして、電源ボタンは、後述のコントローラ６０と信号線により通信可能に接続されており、電源ボタンの押下の際には、電源ＯＮ信号がコントローラ６０へ送信される一方、再度の電源ボタンの押下の際には、電源ＯＦＦ指令がコントローラ６０に送信され、この電源ＯＦＦ指令の受信後に、コントローラ６０はプリンタ１の電源を解除する。
【００３３】
＜コントローラ６０＞
コントローラ６０は、プリンタ１の制御を行うための制御ユニットであり、インターフェース部６１と、ＣＰＵ６２と、メモリ６３と、ユニット制御回路６４と、タイマー６５とを有する。インターフェース部６１は、外部装置であるコンピュータ１１０とプリンタ１との間で印刷データ等のデータの送受信を行う。ＣＰＵ６２は、プリンタ１全体の制御を行うための演算処理装置である。メモリ６３は、ＣＰＵ６２のプログラムを格納する領域や作業領域等を確保するためのものであり、ＲＡＭ、ＥＥＰＲＯＭ等の記憶素子を有する。ＣＰＵ６２は、メモリ６３に格納されているプログラムに従って、ユニット制御回路６４を介して各ユニットを制御する。タイマー６５は時間をカウントする。
【００３４】
＜＜＜印刷ヘッド４１＞＞＞
図５は、印刷ヘッド４１の下面４１ａに設けられたノズルの配列図である。印刷ヘッド４１の下面４１ａには、ブラック（Ｋ）、シアン（Ｃ）、マゼンタ（Ｍ）、イエロ（Ｙ）の色毎にそれぞれ複数のノズル♯１〜♯ｎからなるノズル列４１１が、搬送方向に相互に間隔をあけつつ平行に配置されている。
【００３５】
各ノズル列４１１の各ノズル♯１〜♯ｎは、紙の搬送方向と直交する紙幅方向に沿う直線上に、所定のノズルピッチＰで配置されている。このノズルピッチＰは、前述した紙幅方向の印刷解像度の最大値に基づいて定まっており、例えば、同最大値が１６００ｄｐｉの場合には、ノズルピッチＰは１／１６００（ｉｎｃｈ）である。また、各ノズル列４１１の紙幅方向の全長Ｌは、紙の紙幅方向の最大幅Ｗｃよりも長くなっており、これにより、当該印刷ヘッド４１は、所謂ラインヘッドとして機能する。すなわち、印刷処理においては、印刷ヘッド４１は所定位置に固定された状態で、単に、搬送方向の上流から搬送されてくる紙に向けてインク滴を吐出することにより印刷が行われる。
【００３６】
各ノズル＃１〜＃ｎには、インクを滴状にして吐出するための駆動素子としてピエゾ素子（不図示）が設けられている。ピエゾ素子は、その両端に設けられた電極間に所定時間幅の電圧を印加すると、電圧の印加時間に応じて伸張し、インクの流路の側壁を変形させる。これによって、インクの流路の体積がピエゾ素子の伸縮に応じて収縮し、この収縮分に相当するインクが、インク滴となって各色の各ノズル＃１〜＃ｎから吐出される。各ピエゾ素子の駆動は、印刷データの各画素データに基づいて行われる。
【００３７】
ところで、印刷ヘッド４１へのインクの供給は、プリンタ１内に配置されたインクタンク４３によってなされる。すなわち、図６の模式図に示すように、ヘッドユニット４０は、ＣＭＹＫの色毎にインクを貯留するインクタンク４３を有しており、各インクタンク４３からは、それぞれに供給チューブ４５（流路に相当）によって印刷ヘッド４１内の各ノズルへと、対応する色のインクが供給される。詳しくは、印刷ヘッド４１内には、各ノズルに連通するインクの流路がインク色毎に形成されているとともに、各流路におけるインクタンク４３側の端には、前記供給チューブ４５がそれぞれに接続されており、これにより、インクタンク４３内のインクが印刷ヘッド４１へ供給される。
【００３８】
ちなみに、インクの供給を確実に行うべく、インクタンク４３内のインクは、加圧供給されている。すなわち、各インクタンク４３内には、対応するインクが、当該インクを収容した密封袋４３ａの形態で収容されているとともに、前記インクタンク４３内における前記密封袋４３ａの周囲空間の気圧は、加圧ポンプ４７によって加圧されている。よって、当該気圧により密封袋４３ａは軽く押し潰されて、これにより、密封袋４３ａ内のインクが前記供給チューブ４５の方へと押し出される形でインクは印刷ヘッド４１へと供給される。なお、同図６中に示されたポンプ７２及び弁７８は、インク増粘防止ユニット７０に関する機器であり、これについては後述する。
【００３９】
＝＝＝印刷処理＝＝＝
図７は、印刷処理のフロー図である。なお、これら各動作は、コントローラ６０が、メモリ６３内に格納されたプログラムに従って、各ユニットを制御することにより実行される。このプログラムは、各動作を実行するためのコードを有する。
印刷処理は、コンピュータ１１０から送信された印刷命令をコントローラ６０が受信したら実行される。この印刷命令は、例えば、コンピュータ１１０から送信される印刷データのヘッダに含まれている。そうしたら、コントローラ６０は、受信した印刷データに含まれる各種コマンドの内容を解析し、各ユニットを用いて、以下の給紙動作・搬送動作・インク吐出動作・排紙動作等を行う。
【００４０】
最初に、コントローラ６０は給紙動作を行う（Ｓ２０２）。給紙動作は、印刷すべき紙の先端をプリンタ１内の所定の印刷開始位置まで搬送する動作である。すなわち、コントローラ６０は、給紙モータを駆動して図４の給紙ローラ２１を回転させ、給紙トレー２２の紙を搬送ローラ２３Ａまで送り、続いて、搬送モータを駆動して搬送ローラ２３Ａを回転させ、給紙ローラ２１から送られてきた紙を下流へ送り、その先端が前記印刷開始位置に到達したら停止する。この印刷開始位置は、例えば、印刷ヘッド４１と搬送ローラ２３Ａとの間であって、しかも、印刷ヘッド４１の何れのノズルとも対向しない位置である。なお、この印刷開始位置への到達は、前記第１紙検出センサ５３ａに基づいて検出される。
【００４１】
次に、コントローラ６０は搬送動作を開始する（Ｓ２０４）。搬送動作は、搬送モータを駆動して搬送ローラ２３Ａにより紙を搬送方向の下流へと所定の搬送速度で搬送する動作である。そして、この搬送動作中に、印刷ヘッド４１からインク滴を吐出するインク吐出動作が行われる（Ｓ２０６）。
このインク吐出動作においては、印刷データに基づいて各ノズル列４１１のノズルからインク滴が断続的に吐出され、その結果、紙上には、搬送方向に沿って複数のドットが並んで形成されるとともに、紙幅方向には、各ノズル列４１１のノズルピッチＰで、ドットが形成される。なお、このインク吐出動作は、印刷中の紙に印刷すべき他のデータがなくなったら終了する。
【００４２】
しかる後、紙の尾端が、印刷ヘッド４１よりも下流側の排紙開始位置に到達したら搬送動作を終了して（Ｓ２０８）、排紙動作（Ｓ２１０）を行う。排紙動作は、搬送モータによって駆動される排紙ローラ２７Ａにより、前記搬送動作の搬送速度よりも高速で紙を下流へ搬送する動作であり、これにより、紙は、プリンタ１の外へと高速で排出される。ちなみに、紙の尾端の前記排紙開始位置への到達は、前記第２紙検出センサ５３ｂによって検出される。
【００４３】
そうしたら、コントローラ６０は、印刷処理を続行するか否かの判断を行う（Ｓ２１２）。そして、次の紙に印刷を行うのであれば、前述のステップＳ２０２へ戻って、次の紙の給紙動作（Ｓ２０２）を開始し、次の紙に印刷を行わないのであれば、印刷処理を終了する。なお、上記の判断は、例えば、前記印刷データに印刷すべきデータが残っているか否かによって行われる。
【００４４】
＝＝＝インク増粘防止処理について＝＝＝
＜＜＜インク増粘防止処理＞＞＞
図８Ａは、印刷ヘッド４１のノズルの先端部近傍で生じ得るインクの増粘の説明図であって、ノズル近傍部分の拡大縦断面図である。
【００４５】
上述の印刷処理を実行していない印刷待機状態や電源ＯＦＦ状態においても、一般に印刷ヘッド４１内の流路にはインクが充填されており、その吐出側のインクの端となるメニスカスＩｓは、ノズルの最先端の縁たるノズル開口Ｎｅにまで達している。このため、当該メニスカスたるインク表面Ｉｓは、常に大気に晒される状態にあり、もって、インク表面Ｉｓからはインク中の溶媒たる水分が蒸発し易く、その結果、時間と伴にノズル開口Ｎｅ近傍ではインク中の染料等の溶質分比率や顔料等の固形分比率が高まって、前記ノズル開口Ｎｅ近傍のインクが増粘する虞がある。そして、この増粘は、インク滴の吐出量や着弾位置に悪影響を及ぼすだけでなく、過度になるとノズル詰まりを引き起こす。
【００４６】
このため、このプリンタ１では、このような増粘を防ぐべく、上記の印刷待機状態や電源ＯＦＦ状態において、少なくともノズルの先端部に空間ＳＰ２が形成されるように前記インクを吐出方向と逆側（以下、反吐出方向、又は反吐出側とも言う）に引き込むようにしており、これにより、ノズルの先端部におけるインクの増粘を防いでいる（図８Ｂを参照）。
【００４７】
なお、このように、少なくともノズルの先端部に空間ＳＰ２を形成すれば、インクの増粘が抑制される理由は、以下のとおりである。図８Ａに示すようにインクを引き込まない場合には、インク表面Ｉｓはノズル開口Ｎｅに位置している。すなわち、インク表面Ｉｓは、その外周縁Ｉｓｅがノズル開口Ｎｅに位置しつつ、インク表面Ｉｓの中心側は、前記ノズル開口Ｎｅよりもメニスカス分だけ反吐出側に凹んだ状態にある。よって、当該インク表面Ｉｓは、印刷ヘッド４１の下方の空間ＳＰ１を吹く風に当たり易く、その結果、インク表面Ｉｓ近傍のインクは、当該風によって比較的簡単に蒸発してしまう。
【００４８】
これに対して、図８Ｂに示すように、インクを反吐出側へ引き込むことによりノズル開口Ｎｅから反吐出側に所定量だけ空間ＳＰ２を形成しておけば、インク表面Ｉｓを上記の風から遠退かせることができて、インク表面Ｉｓには前記風が当たり難くなる。よって、インク表面Ｉｓからの水分の蒸発が抑えられ、インクの増粘は抑制される。また、上記の引き込みによりインク表面Ｉｓよりも吐出側に形成されたノズル内の空間ＳＰ２は、当該ノズルの内周壁面に囲まれて空気の移動の少ないよどみ点となっている。よって、このよどみ点の空気の滞留によって、当該よどみ点の空間ＳＰ２は、印刷ヘッド４１の下方の空間ＳＰ１よりも高湿に保湿され、その結果、ノズル内のインク表面Ｉｓからの蒸発が有効に抑えられてインクの増粘は効果的に抑制される。
【００４９】
ちなみに、ここで、ノズルの先端部に空間ＳＰ２が形成されるというのは、インクのメニスカスによる凹み部ＳＰ３以外に別途空間ＳＰ２が形成されるということである。よって、当該空間ＳＰ２が形成された際には、インク表面Ｉｓの外周縁Ｉｓｅがノズル開口Ｎｅよりも反吐出側に位置することとなり、換言すると、インク表面Ｉｓはその全面に亘って、ノズル開口Ｎｅよりも反吐出側に位置しているということになる。
【００５０】
このような概念のインク増粘防止処理の種類としては、『インク退避処理』と『インク回収処理』との２つを例示できる。
【００５１】
前者のインク退避処理は、図９Ａに示すように、ノズル内にインク表面Ｉｓが位置するようにしながらインクを反吐出側へ引き込む処理である。ここで、ノズルというのは、ノズル開口Ｎｅの開口面の法線方向に沿って当該ノズル開口Ｎｅから屈曲部無く且つ同形のストレート管状に連続して形成された流路の部分であって、前述のピエゾ素子よりも吐出側の部分のことを指す（図９Ａを参照）。そして、このインク退避処理によれば、引き込み後のインク表面Ｉｓの位置が、ノズル内に収まっているので、インク表面Ｉｓをノズル開口Ｎｅの位置へ即座に戻すことができて、つまり、ノズルを印刷処理可能な状態に即座に復帰可能となる。従って、このインク退避処理は、印刷処理が短期間実行されないような場合に適しており、このプリンタ１では、比較的短期の印刷待機状態において実行される。
【００５２】
一方、後者のインク回収処理は、図９Ｂに示すように、印刷ヘッド４１の流路内及び供給チューブ４５内に存在するほぼ全てのインクをインクタンク４３内に回収し、これにより、印刷ヘッド４１の流路内及び供給チューブ４５内をほぼ空にしてしまう処理である。そして、このインク回収処理によれば、インクタンク４３内の密閉袋４３ａによってインクの蒸発をより長期に亘り防ぐことができて、その結果、上述のインク退避処理よりも一層長期に亘りインクの増粘を防ぐことができる。
【００５３】
但し、このインク回収処理を行った場合には、印刷処理の前に、インクタンク４３内のインクを印刷ヘッド４１へ再充填する必要があるので（図６を参照）、印刷処理可能な状態にノズルを瞬時に復帰させる即時性の観点からは、上述のインク退避処理の方が優れている。従って、このインク回収処理は、印刷処理が長期間実行されないような場合に適しており、このプリンタ１では、電源ＯＦＦ状態や、比較的長期の印刷待機状態において実行される。
【００５４】
＜＜＜インク増粘防止ユニット７０＞＞＞
このようなインク増粘防止処理は、コントローラ６０が、インク増粘防止ユニット７０を制御して行われる。インク増粘防止ユニット７０は、図７及び図９Ｂに示すように、インクタンク４３のインクを印刷ヘッド４１に供給する前記供給チューブ４５に設けられたチューブポンプ７２と、このチューブポンプ７２を迂回するためのバイパスチューブ７７と、このバイパスチューブ７７の流路を開閉するバイパス弁７８と、を備えている。なお、このインク増粘防止ユニット７０は、ＣＭＹＫのインク色毎に設けられ、つまり、ＣＭＹＫのインクの各供給チューブ４５に対して設けられている。
【００５５】
図１０Ａ及び図１０Ｂはチューブポンプ７２の説明図であり、その一部を断面視で示している。チューブポンプ７２は、供給チューブ４５の所定範囲Ａを繰り返ししごくことにより、しごく方向にインクを送るものである。詳しくは、当該チューブポンプ７２は、図１０Ａに示すように、ケース７３と、ケース７３に収容されて円心Ｃ７４周りに回転可能な回転円盤７４と、回転円盤７４の外周面から外方に突出して、回転自在に互いに点対称に設けられた一対のプレスローラー７５と、回転円盤７４を回転駆動する不図示の駆動モータとを有しており、また、前記供給チューブ４５は、ケース７３の内壁面７３ａと回転円盤７４の外周面７４ａとの間に配置されている。よって、前記駆動モータにより回転円盤７４が回転すると、供給チューブ４５においてプレスローラー７５と当接する部分が、当該プレスローラー７５とケース７３の内壁面７３ａとによってしごかれ、これにより、当該しごく方向にインクが移動される一方、しごかれた後には、当該しごかれて潰れていた部分は、供給チューブ４５の弾性に基づく自己復元力により元の膨らんだ状態に戻り、その際には、しごく方向の逆側に存在するインクを吸い上げる。よって、回転円盤７４を一方向に回転させることにより、供給チューブ４５内のインクを回転方向に沿う方向に送ることができる。ちなみに、チューブポンプ７２によりインクを送る際には、バイパス弁７８は閉状態であるのは言うまでもない。
【００５６】
このようなインク増粘防止ユニット７０によれば、次のようにして、前述のインク退避処理及びインク回収処理を行うことができる。
インク退避処理にあっては、図９Ａで前述したようにインク表面Ｉｓの位置をノズル内に収める程度にインクを少量だけ反吐出側に引き込むことから、図１０Ｂに示すように回転円盤７４は、前記少量に対応する回転角（例えば１０°）だけ反吐出方向へ回転して、その状態で停止する。
【００５７】
すると、当該回転角に相応する周長分だけ供給チューブ４５がしごかれて、これにより反吐出方向へとインクが送られるが、しかる後に、供給チューブ４５のしごかれた部分が、自身の弾性に基づく自己復元力により潰れた状態から元の膨らんだ状態へと戻ることから、供給チューブ４５内には反吐出方向の吸引力が生じ、これにより、ノズルの先端部のインクは、そのインク表面Ｉｓの位置がノズル内に収まる程度に引き込まれる。そして、以降は回転円盤７４を回転させずに当該停止状態に維持することにより、上記インク表面Ｉｓの引き込み位置は維持される。
【００５８】
なお、印刷処理の際には、図８Ａに示すようにインク表面Ｉｓの位置をノズル開口Ｎｅ（ノズルの先端縁）へ戻す必要があるが、この戻す処理（以下では、インク復位処理と言う）は、図１０Ｂのバイパス弁７８を開けることで行われる。すなわち、バイパス弁７８を開けると、インクタンク４３のインクがチューブポンプ７２を介さずにバイパスチューブ７７を介してノズル側へと送られ、これにより、インク表面Ｉｓはノズル開口Ｎｅの位置まで復帰する。そして、印刷処理中にあっては、当該バイパス弁７８は開状態に維持され、もって、インクはバイパスチューブ７７を介して印刷ヘッド４１に供給される。
【００５９】
他方、インク回収処理にあっては、図９Ｂで前述したように印刷ヘッド４１の流路内及び供給チューブ４５内に存在する全てのインクをインクタンク４３内に送って回収することから、図１０Ａの回転円盤７４は、回収すべき前記全てのインクの量に対応する回転数だけ反吐出方向に連続回転し、しかる後に停止する。すると、この連続回転の間には、一対のプレスローラー７５によって順次供給チューブ４５の所定範囲Ａが繰り返ししごかれるとともに、しごかれる度に自己復元力により潰れが膨らみ返すということを繰り返し、これにより、最終的に、印刷ヘッド４１の流路内及び供給チューブ４５内はほぼ空になる。
【００６０】
なお、このインク回収処理後についても、印刷処理の際にはインク表面Ｉｓの位置をノズル開口Ｎｅへと戻す必要があるが、この戻す処理（以下では、インク回復処理と言う）は、回転円盤７４を上述と逆方向に回転させることにより達成される。すなわち、回転円盤７４を吐出方向に回転させると、上述と同様のポンプ原理に基づいて、インクタンク４３内のインクは供給チューブ４５に吸引されて印刷ヘッド４１の流路内へと導かれ、最終的には、供給チューブ４５内及び印刷ヘッド４１の流路内は、その吐出側の端であるノズル開口Ｎｅまでに亘りインクで充たされ、しかる後に少量のインクがノズル開口Ｎｅから滴下する状態となるが、このようになったら、回転円盤７４は停止される。
【００６１】
但し、この時のノズル開口Ｎｅには、凹形状のメニスカスが形成されずに、図１１Ａに示すような凸形状のメニスカスＩｓになっていることが多いが、ここで、図１１Ｂに示すような凹形状のメニスカスＩｓでないと、印刷処理において正常なインク吐出動作を行うことができない。このため、このインク回復処理における最終仕上げとしてワイピング処理を行う。すなわち、図７に示すワイパー部材８０により、印刷ヘッド４１の下面４１ａのノズルの形成面を拭い、これによってノズル開口Ｎｅのメニスカスを図１１Ｂに示すような凹形状にする。ワイパー部材８０は、例えばフエルト層とゴム層とが張り合わされてなる弾性板である。そして、当該ワイパー部材８０は、図６に示すように印刷ヘッド４１の下方に配されて、不図示のガイドレール等により紙幅方向に往復移動可能に案内されているとともに、ワイバー部材８０を往復移動するための駆動機構（不図示）も設けられている。よって、ワイパー部材８０が、紙幅方向の両端に設定された待機位置の一方から、もう一方の待機位置へと移動すると、その移動過程において、ワイパー部材８０の上端縁が印刷ヘッド４１の下面４１ａのノズル形成面に当接して当該ノズル形成面のインクを拭うこととなり、これにより、ノズル開口Ｎｅのメニスカスは凹形状になる。
【００６２】
＜＜＜インク退避処理及びインク回収処理の実施タイミングについて＞＞＞
図１２及び図１３は、インク退避処理及びインク回収処理の実施タイミングの一例の説明図であって、プリンタ１の電源が投入されてから電源が解除されるまでの一連の処理のフロー図である。図１２は、電源投入時及びそれ以降の処理のフロー図であり、図１３は、電源解除の際の処理のフロー図である。なお、これら処理フローは、コントローラ６０のＣＰＵ６２が、これら処理フローに対応するプログラムをメモリ６３から読み出し、そのプログラムに従って、前述の各ユニット等を制御することにより実行される。
【００６３】
ユーザーが電源ボタンを押すと、プリンタ１には電源が投入される。そして、これに伴って、操作パネル６６から送信された電源ＯＮ信号をコントローラ６０が受信すると、コントローラ６０は、図１２の処理フローを開始し、当該処理フローに基づいて各ユニットを制御する。なお、この図１２の処理フローは、電源ＯＦＦ指令に基づく図１３の処理フローが割り込み処理してくるまで、継続実行される。
【００６４】
図１２に示すように、電源ＯＮ信号を受信すると、コントローラ６０は、先ず、インク吐出準備として『インク回復処理』（Ｓ３０２）を行い、これにより、インクタンク４３のインクは印刷ヘッド４１のノズル開口Ｎｅにまで充填される（図６を参照）。なお、このタイミングでインク回復処理を行う理由は、後述するように電源ＯＦＦ時には、前述の『インク回収処理』が行われ、これにより、印刷ヘッド４１の流路内及び供給チューブ４５内はインクが抜けた空の状態になっているからである（図９Ｂを参照）。
【００６５】
次にコントローラ６０は、短期の印刷待機状態に起因したインクの増粘を防ぐべく、ステップＳ３０４へ移行して『インク退避処理』を行い、これにより、インク表面Ｉｓの位置がノズル内に収まる範囲内でインクを反吐出側に引き込む。そうしたら、ステップＳ３０６へ移行して、タイマー６５をリセットした後、タイマー６５のカウントをスタートさせる。
【００６６】
このタイマー６５は、印刷待機状態が長くなりそうな場合に、現在の状態たるインク退避処理から、長期停止でも増粘を防止可能なインク回収処理へと切り替えるためのタイマー６５である。よって、次のステップＳ３０８では、コントローラ６０は、タイマー６５にてカウントされた現時点のカウント値Ｔを、既定の制限時間Ｔｔｈと比較し、これを超えている場合には、ステップＳ３１６のインク回収処理へ移行する一方、超えていない場合には、ステップＳ３１０へ移行して、未実行の印刷処理に係る印刷命令を受信しているか否かを判定する。
【００６７】
そして、このステップＳ３１０における判定が、前記印刷命令を受信していないという判定の場合には、前記ステップＳ３０８へ戻って、上述のカウント値Ｔの比較を繰り返す一方、前記印刷命令を受信しているという判定の場合には、次のステップＳ３１２へ移行する。そして、このステップＳ３１２では『インク復位処理』を行い、これにより、反吐出側に引き込まれていたインク表面Ｉｓをノズル開口Ｎｅまで復位させて、インク滴を吐出可能な状態にする（図８Ａを参照）。
【００６８】
そうしたら、ステップＳ３１４へ移行してノズルフラッシングを行う。ノズルフラッシングは、通常の印刷処理のインク吐出動作と同じくピエゾ素子を駆動してノズルからインク滴を吐出する処理であり、これにより、ノズル内のインク表面Ｉｓは増粘の無い状態に浄化される。ちなみに、ノズルフラッシングにより吐出されたインク滴は、図４に示すプラテン２５上面の凹部２５ａに設けられたインク吸収材２６に受けられて保持される。また、このノズルフラッシング時にピエゾ素子の駆動は、既定の信号に基づいてなされるのであって、印刷データに基づいてなされるものではないのは言うまでもない。
【００６９】
そうしたら、前記印刷命令に対応する印刷データに基づいて『印刷処理』（Ｓ３２２）を行う。この印刷処理については、図８で前述しているので、ここではその説明を省略する。そして、この印刷処理が終了したら、印刷待機状態に対応すべく、上述のステップＳ３０４へ戻って『インク退避処理』を行い、しかる後に、上述のステップＳ３０６のタイマー６５のスタート等を経て、ステップＳ３１０において、未実行の印刷処理に係る印刷命令を受信するか、又はステップＳ３０８においてカウント値Ｔが制限時間Ｔｔｈを超えるまで待機する。
【００７０】
なお、この印刷待機状態におけるステップＳ３０８において、タイマー６５のカウント値Ｔが前記制限時間Ｔｔｈを超えている場合には、コントローラ６０は、ステップＳ３１６へ移行して『インク回収処理』を行う。そして、この印刷ヘッド４１の流路内及び供給チューブ４５内の全てのインクをインクタンク４３内に回収した状態で（図９Ｂを参照）、未実行の印刷処理に係る印刷命令を受信するまで待機し、当該印刷命令を受信したら（Ｓ３１８）、ステップＳ３２０の『インク回復処理』を行い、これにより、印刷ヘッド４１の流路等にインクが充填された状態にし（図６を参照）、その後で、ステップＳ３２２へ移行して『印刷処理』を行う。そして、印刷処理が終了したら、印刷待機状態に起因したインクの増粘に対処すべく、上述のステップＳ３０４へ戻って『インク退避処理』を行い、上述のステップＳ３０６以降の処理が繰り返される。
【００７１】
ところで、プリンタ１の電源を解除する場合には、ユーザは、操作パネル６６の電源ボタンを再度押すことになるが、これに伴って、操作パネル６６からは電源ＯＦＦ指令が送信される。そして、この電源ＯＦＦ指令を受信すると、コントローラ６０は、図１３の処理フローを開始する。
【００７２】
すなわち、コントローラ６０は、先ず、印刷処理中か否かを判定し（Ｓ４０２）、印刷処理中の判定の場合には、印刷処理が終了するまで待機する。そして、印刷処理が終了したら、図１２の処理フローに対して割り込み処理を行い、つまり、図１３のステップＳ４０４へ移行して『インク回収処理』を行う。これにより、印刷ヘッド４１の流路内及び供給チューブ４５内の全てのインクはインクタンク４３へと回収され（図９Ｂを参照）、長期に亘り印刷処理が行われなくてもインクの増粘を防止可能な状態となる。そうしたら、コントローラ６０はプリンタ１の電源を解除する（Ｓ４０６）。
【００７３】
＝＝＝その他の実施の形態＝＝＝
前述の実施形態では、主として印刷システム１００について記載していたが、その中には、液体吐出装置や液体吐出方法等の開示が含まれていることは言うまでもない。また、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７４】
前述の実施形態では、液体吐出装置としてインクジェットプリンタ１を例示したが、インク以外の他の液体（機能材料の粒子が分散されている液状体やジェルのような流状体など）を噴射したり吐出したりする液体吐出装置に具現化することもできる。例えば、液晶ディスプレイ、ＥＬ（エレクトロルミネッセンス）ディスプレイ及び面発光ディスプレイの製造などに用いられる電極材や色材などの材料を分散または溶解のかたちで含む液状体を吐出する液状体吐出装置、バイオチップ製造に用いられる生体有機物を吐出する液体吐出装置、精密ピペットとして用いられ試料となる液体を吐出する液体吐出装置であってもよい。さらに、時計やカメラ等の精密機械にピンポイントで潤滑油を吐出する液体吐出装置、光通信素子等に用いられる微小半球レンズ（光学レンズ）などを形成するために紫外線硬化樹脂等の透明樹脂液を基板上に吐出する液体吐出装置、基板などをエッチングするために酸又はアルカリ等のエッチング液を吐出する液体吐出装置、ジェルを吐出する流状体吐出装置であってもよい。そして、これらのうちいずれか一種の吐出装置に本発明を適用することができる。
【００７５】
前述の実施形態では、プリンタ１としてラインヘッドプリンタを例示したが、何等これに限るものではなく、例えば、シリアルプリンタであっても良い。つまり、所定の第１方向に沿って複数のノズルが整列配置された印刷ヘッドを有し、当該印刷ヘッドが前記第１方向と交差する第２方向に移動中に、前記ノズルから紙等の媒体に対してインクを吐出してドットを形成するインク吐出動作と、前記第１方向に前記媒体を搬送する搬送動作と、を繰り返し実行して前記媒体に画像を印刷するプリンタであっても良い。
【００７６】
前述の実施形態では、図１２に示すように、印刷待機状態の時に、『インク退避処理』（Ｓ３０４）を行った後、制限時間Ｔｔｈの経過後に『インク回収処理』（Ｓ３１６）へ移行するようにしていたが、何等これに限るものではなく、Ｓ３０４のインク退避処理を行わずに、いきなりＳ３１６の『インク回収処理』を行うようにしても良い。つまり、Ｓ３０４からＳ３１４までのステップを省略しても良い。更には、インク表面（メニスカス）Ｉｓの位置が、ノズルとインクタンク４３との間に位置するように、すなわち、印刷ヘッド４１内の流路又は供給チューブ４５内にインク表面Ｉｓが位置するようにインクを反吐出側へ引き込んでも良い。
【００７７】
前述の実施形態では、図１３に示すように、電源ＯＦＦ指令を受信した場合に、『インク回収処理』を行うようにしていたが、これに代えて『インク退避処理』を行うようにしても良い。更には、インク表面（メニスカス）Ｉｓの位置が、ノズルとインクタンク４３との間の流路に位置するように、すなわち、ノズル以外の印刷ヘッド４１内の流路又は供給チューブ４５内にインク表面Ｉｓが位置するようにインクを反吐出側へ引き込んでも良い。
【００７８】
前述の実施形態では、インク増粘防止ユニット７０に供されるポンプとしてチューブポンプ７２を例示したが、供給チューブ４５における吐出側及び反吐出側の両方向にインクを送ることが可能なポンプであれば、何等これに限るものではなく、例えばギアポンプ（回転する歯車のかみ合わせを用いて液体を送るポンプ）を用いても良い。
【００７９】
前述の実施形態では、液体の吐出方式として、ピエゾ素子による圧電効果方式を例示したが、何等これに限るものではなく、例えば、液体を加熱して当該液体中に生じる気泡により液体をノズルから吐出するサーマルジェット方式でも良い。
【００８０】
前述の実施形態では、インクタンク４３のインクを加圧ポンプ４７により加圧供給していたが、場合によっては加圧ポンプ４７を省略しても良い。例えば、印刷ヘッド４１よりもインクタンク４３の方を高所に配置すれば、その水頭差によってインクタンク４３から印刷ヘッド４１へとインクが供給されるため、加圧ポンプ４７を省略できる。
【００８１】
前述の実施形態では、加圧ポンプ４７の起動タイミング及び停止タイミングについて説明していなかったが、加圧ポンプ４７は、電源ＯＮ信号に基づいてコントローラ６０により起動され、電源ＯＦＦ指令に基づいてコントローラ６０により停止されるのは言うまでもない。
【００８２】
前述の実施形態では、インクについて詳しくは述べていなかったが、当該インクは水等の適宜な溶媒中に染料等の溶質分や顔料等の固形分等を含有するものであり、つまり、染料インクや顔料インク等を例示できる。
【符号の説明】
【００８３】
１  インクジェットプリンタ、２０  搬送ユニット、２１  給紙ローラ、２２  給紙トレー、２３Ａ  搬送ローラ、２５  プラテン、２５ａ  凹部、２６  インク吸収材、２７Ａ  排紙ローラ、４０  ヘッドユニット、４１  印刷ヘッド、４１ａ  下面、４３  インクタンク、４３ａ  密封袋、４５  供給チューブ、４７  加圧ポンプ、５０  検出器群、５３ａ  第１紙検出センサ、５３ｂ  第２紙検出センサ、６０  コントローラ、６１  インターフェース部、６３  メモリ、６４  ユニット制御回路、６５  タイマー、６６  操作パネル、７０  インク増粘防止ユニット、７２  チューブポンプ、７３  ケース、７３ａ  内壁面、７４  回転円盤、７４ａ  外周面、７５  プレスローラー、７７  バイパスチューブ、７８  バイパス弁、８０  ワイパー部材、１００  印刷システム、１１０  コンピュータ、１２０  表示装置、１３０  入力装置、１４０  記録再生装置、４１１  ノズル列、Ｎｅ  ノズル開口、Ｉｓ  インク表面、Ｉｓｅ  外周縁、ＳＰ１  空間、ＳＰ２  空間、ＳＰ３  凹み部、Ｃ７４  円心、Ｗｃ  最大幅、Ａ  所定範囲、Ｐ  ノズルピッチ。
【図１】
0005742878.tif 000002
【図２】
0005742878.tif 000003
【図３】
0005742878.tif 000004
【図４】
0005742878.tif 000005
【図５】
0005742878.tif 000006
【図７】
0005742878.tif 000007
【図１２】
0005742878.tif 000008
【図１３】
0005742878.tif 000009
【図６】
0005742878.tif 000010
【図８】
0005742878.tif 000011
【図９】
0005742878.tif 000012
【図１０】
0005742878.tif 000013
【図１１】
0005742878.tif 000014